(57)【要約】【課題】  最終製品メーカー側のカメラ調整工程における負担を軽減するカメラモジュール調整方法を提供する。【解決手段】  本発明のカメラモジュール調整方法は、カメラモジュール１０の製造工程において、最終製品に対応したカメラ調整データ（ＣＣＤ１１のホワイトバランス特性及びメカシャッターのばらつき補正等）、及びモジュール制御用プログラム（カメラモジュール１０の動作を制御するシーケンス）を、フラッシュメモリ１５へ格納済みにして出荷する工程を経るものである（ステップａ１，ｂ１，ｃ１，ｄ１）。そして、最終製品の製造工程において、カメラモジュール１０を最終製品のマザー基板上に組み込み、そのマザー基板を最終製品に組み込む工程を経るものである（ステップｅ１，ｆ１，ｇ１）。【選択図】  図２
2005033691.tif 000002
【特許請求の範囲】
【請求項１】
被撮像物を撮像するＣＣＤと、前記ＣＣＤの出力信号に対して画像処理を行うＤＳＰと、前記ＤＳＰが行う画像処理に必要なカメラ調整データ及びモジュール制御用プログラムを格納したメモリと、
を備えたカメラモジュールの調整方法であって、
前記カメラモジュールを組み込む製品に対応したカメラ調整データ及びモジュール制御用プログラムを、前記メモリへ格納済みにして、前記製品の製造者へ出荷することを特徴とするカメラモジュールの調整方法。
【請求項２】
被撮像物を撮像するＣＣＤと、前記ＣＣＤの出力信号に対して画像処理を行うＤＳＰと、前記ＤＳＰが行う画像処理に必要なカメラ調整データ及びモジュール制御用プログラムを格納したメモリと、
を備えたカメラモジュールの調整方法であって、
前記カメラモジュールの製造者において、前記カメラモジュールを組み込む製品に対応したカメラ調整データ及びモジュール制御用プログラムを、前記メモリへ格納済みにして、前記製品の製造者へ出荷するステップと、
前記製品の製造者において、前記カメラモジュールを前記製品の基板上に組み込むステップと、
前記カメラモジュールが組み込まれた前記基板を、前記製品に組み込むステップと、
を有することを特徴とするカメラモジュールの調整方法。
【請求項３】
前記メモリは、フラッシュメモリであることを特徴とする請求項１または請求項２記載のカメラモジュールの調整方法。
【請求項４】
前記カメラ調整データは、前記ＣＣＤのホワイトバランス特性及びメカシャッターのばらつき補正に関するデータであることを特徴とする請求項１，２，３のいずれかに記載のカメラモジュールの調整方法。
【請求項５】
前記モジュール制御用プログラムは、前記製品のＣＰＵからの命令に応じて、前記カメラモジュールの動作を制御するシーケンス制御プログラムであることを特徴とする請求項１，２，３，４のいずれかに記載のカメラモジュールの調整方法。
【請求項６】
前記カメラモジュールは、前記ＣＣＤの出力信号をデジタル信号に変換するＡ／Ｄ変換器を有し、
前記Ａ／Ｄ変換器は、デジタル信号化した前記ＣＣＤの出力信号を前記ＤＳＰに出力することを特徴とする請求項１，２，３，４，５のいずれかに記載のカメラモジュールの調整方法。
【発明の詳細な説明】
【技術分野】
【０００１】
本発明は、カメラモジュールの調整方法に関し、特にＣＣＤを用いたカメラモジュールのホワイトバランス特性等を調整する方法に関する。
【背景技術】
【０００２】
近年、ＣＣＤ（Charge Coupled Device）を用いたカメラモジュール（以下、「カメラモジュール」と略称する）は、携帯電話や個体認識装置などに用いられ、その応用分野は広がりつつある。特に、ＣＣＤから出力された画像信号に対して、ＤＳＰ（Digital Signal Processor）による画像認識、データ圧縮、ホワイトバランス補正等の処理が為されるカメラモジュールが開発されている。
【０００３】
以下に、従来のカメラモジュールの構成例を、図面を参照して説明する。
【０００４】
図３は、従来のカメラモジュールの構成例を示すブロック図である。カメラモジュール２０は、ＣＣＤ２１、ＣＣＤ２１から出力されるアナログ画像信号をデジタル信号に変換するＡ／Ｄ変換器２２、及びＡ／Ｄ変換器２２からのデジタル画像信号を処理するＤＳＰ２３から構成されている。このカメラモジュール２０は、不図示のマザー基板上に搭載されている。また、マザー基板上には、カメラモジュール２０とは別に、ＤＳＰ２１を制御するマザー基板側ＣＰＵ２４、及びマザー基板側フラッシュメモリ２５等が搭載されている。マザー基板側フラッシュメモリ２５には、カメラ調整データ（例えばＣＣＤ２１のホワイトバランス特性、メカシャッターのバラツキ補正データ等が含まれる）及びモジュール制御用プログラム等が格納されている。
【０００５】
ＤＳＰ２３による画像信号処理（例えばホワイトバランス補正）は、マザー基板側ＣＰＵ２４の命令により、制御用のプログラム及びカメラ調整データ（例えば、ホワイトバランス特性）等を、マザー基板側フラッシュメモリ２５から読出して、所定の画像信号処理やカメラ調整（例えば、ホワイトバランス補正、メカシャッターのバラツキ補正）を実行する。
【０００６】
次に、上述した従来のカメラモジュール２０が、所定のカメラ調整データにより調整され、携帯電話等の最終製品に組み込まれるまでの工程の例について、図面を参照して説明する。
【０００７】
図４は、従来のカメラモジュール２０が、最終製品に組み込まれるまでの工程フローの例を示した図である。
【０００８】
上述したカメラモジュール２０の製造は、モジュールメーカーにより行われ（ステップａ２）、その後、カメラモジュール２０を最終製品に組み込む最終製品メーカーへ出荷される（ステップｂ２）。
【０００９】
そして、最終製品メーカーは、以下の工程を行う。
【００１０】
カメラモジュール２０をマザー基板上へ組み込んで搭載する（ステップｃ２）。その後、マザー基板上のマザー基板側フラッシュメモリ２５に、カメラ調整データ（例えばＣＣＤ２１のホワイトバランス特性、メカシャッターのバラツキ補正データ等が含まれる）及びモジュール制御用プログラム等が格納される（ステップｄ２）。そして、カメラモジュール２０のＤＳＰ等にカメラ調整データが設定される（ステップｅ２）。
【００１１】
即ち、カメラモジュール２０のキャリブレーションが行われる。キャリブレーションを済ませたカメラモジュール２０が組み込まれたマザー基板は、最終製品に組み込まれ（ステップｆ２）、その後、最終製品が出荷される（ステップｇ２）。
【００１２】
なお、関連する先行技術文献には、例えば特許文献１が挙げられる。
【特許文献１】特開２００１−１３６５４５号公報
【発明の開示】
【発明が解決しようとする課題】
【００１３】
しかしながら、従来のＣＣＤカメラモジュール２０においては、組み込まれる最終製品（携帯電話等）の仕様や目的に応じたキャリブレーションが、最終製品メーカーにより行われていた。即ち、最終製品メーカーにより、各最終製品の仕様や目的に応じて、カメラ調整データ（例えばＣＣＤ２１のホワイトバランス特性、メカシャッターのバラツキ補正データ等が含まれる）及びモジュール制御用プログラムを、マザー基板側フラッシュメモリ２５に格納していた。これにより、最終製品メーカー側の負担が増大する問題が生じていた。
【００１４】
そこで本発明は、最終製品メーカーが、最終製品の製造工程において、カメラ調整データ及び制御用のプログラムをマザー基板上のメモリに格納する工程を必要としないカメラモジュールの調整方法を提供するものである。
【課題を解決するための手段】
【００１５】
本発明は、上述の課題に鑑みて為されたものであり、ＣＣＤと、その出力信号をデジタル信号に変換するＡ／Ｄ変換器と、デジタル信号化されたＣＣＤの出力信号に対して画像処理を行うＤＳＰと、その画像処理に必要なカメラ調整データ（ＣＣＤのホワイトバランス特性及びメカシャッターのばらつき補正等）及びモジュール制御用プログラム（カメラモジュールの動作を制御するシーケンス等）を格納したフラッシュメモリと、を備えたカメラモジュールについて、以下に示す調整過程を経るものである。
【００１６】
即ち、カメラモジュールの製造工程において、最終製品に対応したカメラ調整データ及びモジュール制御用プログラムを、フラッシュメモリへ格納する。その後、それらのカメラ調整データ及びモジュール制御用プログラムに基いてカメラモジュールを自動調整して出荷する。そして、最終製品の製造工程において、カメラモジュールを最終製品のマザー基板上に組み込む工程と、そのマザー基板を最終製品に組み込む工程と、を経るものである。
【００１７】
また、本発明は、上述したカメラモジュールの自動調整を行うステップを、最終製品の製造工程において、カメラモジュールがマザー基板上に組み込まれた後に行うものである。
【発明の効果】
【００１８】
本発明のカメラモジュールの調整方法においては、モジュールメーカー側のカメラモジュール製造工程で、最終製品に対応したカメラ調整データ及びモジュール制御用プログラムを、フラッシュメモリへ格納済みにして出荷するものである。これにより、カメラモジュールの製造工程でキャリブレーションが済まされるため、そのカメラモジュールのユーザーである最終製品メーカー側では、最終製品の製造工程で、フラッシュメモリにカメラ調整データやモジュール制御用プログラム等を入力する工程を必要としない。
【００１９】
また、カメラモジュールの設計やモジュール制御用プログラムに不具合等が存在した場合、その対処をカメラモジュール単体で行えばよく、最終製品を変更する必要がなくなる。
【００２０】
従って、最終製品の製造工程が簡略化され、最終製品メーカー側の負担が軽減される。
【発明を実施するための最良の形態】
【００２１】
本発明を実施するための最良の形態に係るＣＣＤカメラモジュールの構成例を、以下に図面を参照して説明する。
【００２２】
図１は、本発明の実施形態に係るカメラモジュールの構成例を示すブロック図である。カメラモジュール１０は、被撮像物を撮像するＣＣＤ１１、ＣＣＤ１１から出力されるアナログ画像信号をデジタル信号に変換するＡ／Ｄ変換器１２、Ａ／Ｄ変換器１２からのデジタル画像信号を処理するＤＳＰ１３、及びフラッシュメモリ１５から構成され、不図示のモジュール基板上に形成されている。フラッシュメモリ１５には、カメラ調整データ及びモジュール制御用プログラム等が格納されている。カメラ調整データは、例えばＣＣＤ１１のホワイトバランス特性、メカシャッターのバラツキ補正データ等を含んでいる。また、モジュール制御用プログラムは、例えばカメラモジュールの立ち上げ時のシーケンスやモード移行シーケンス等を含んでいる。
【００２３】
なお、上述したカメラモジュール１０は、最終製品（携帯電話等）メーカーにより不図示のマザー基板上に組み込まれて搭載されている。そのマザー基板上には、カメラモジュール１０とは別に、ＤＳＰ１１を制御するマザー基板側ＣＰＵ１４等が組み込まれて搭載されている。
【００２４】
次に、上述したカメラモジュール１０の動作について説明する。
【００２５】
被撮像物を撮像したＣＣＤ１１は、撮像したイメージを電気的な画像信号に変換して出力する。ここで、画像信号はアナログ信号として出力される。このアナログ画像信号は、Ａ／Ｄ変換器１２により、デジタル信号に変換され、ＤＳＰ１３に出力される。
【００２６】
そして、マザー基板側ＣＰＵ１４は、モジュール制御用プログラム及びカメラ調整データ（例えば、ホワイトバランス特性）等を、カメラモジュール１０側のフラッシュメモリ１５からＤＳＰ１３へ読み出す制御を行い、ＤＳＰ１３による画像信号処理（例えばホワイトバランス補正）を制御する。この際、マザー基板側ＣＰＵ１４の命令に応じて、カメラモジュール１０側のフラッシュメモリ１５に格納されたモジュール制御用プログラムが実行される。
【００２７】
次に、上述したカメラモジュール１０が、所定のカメラ調整データにより調整され、携帯電話等の最終製品に組み込まれるまでの工程の例について、図面を参照して説明する。
【００２８】
図２は、カメラモジュール１０が、最終製品に組み込まれるまでの工程フローの例を示した図である。
【００２９】
以下は、モジュールメーカーにより行われる工程である。
【００３０】
モジュールメーカーは、カメラモジュール１０を、例えば上述した構成例に従って製造する（ステップａ１）。
【００３１】
そして、製造したカメラモジュール１０のフラッシュメモリ１５には、カメラ調整データ、及びモジュール制御用プログラム等が格納される（ステップｂ１）。ここで、カメラ調整データは、例えばＣＣＤ１１のホワイトバランス特性、メカシャッターのバラツキ補正データ等を含んでいる。それらのカメラ調整データは、ＣＣＤ１１毎に異なるその特性に応じて適性値が決定されるものである。また、モジュール制御用プログラムは、例えばカメラモジュールの立ち上げ時のシーケンスやモード移行シーケンス等を含んでいる。それらのモジュール制御用プログラムは、カメラモジュール１０毎に異なるその動作仕様に応じたシーケンス等である。
【００３２】
そして、フラッシュメモリ１５に格納されたカメラ調整データ及びモジュール制御用プログラムに基いて、カメラモジュール１０の設定が自動調整される（ステップｃ１）。
【００３３】
上記のカメラモジュールの調整が完了後、カメラモジュール１０は、最終製品メーカーへ出荷される（ステップｄ１）。
【００３４】
そして、最終製品メーカーにより、以下の工程が行われる。
【００３５】
モジュールメーカーが調整済みにして出荷したカメラモジュール１０を、不図示のマザー基板上へ組み込んで搭載する（ステップｅ１）。
【００３６】
そして、カメラモジュール１０を組み込んだマザー基板を最終製品に組み込んで搭載（ステップｆ１）した後、最終製品が出荷される（ステップｇ１）。
【００３７】
なお、モジュールメーカー側の工程であるカメラモジュールの自動調整（ステップｃ１）に関しては、最終製品の製造工程において、カメラモジュール１０がマザー基板上に組み込まれた後（ステップｅ１の後）に行われてもよい。もしくは、カメラモジュールの自動調整（ステップｃ１）は、最終製品の出荷（ステップｇ１）の後、最終製品の購入者によって行われてもよい。この場合、最終製品の電源がオンされる時にカメラモジュール１０の自動調整が開始されるようなモジュール制御用プログラム等を、格納しておけばよい。
【００３８】
上述したように、モジュールメーカー側のカメラモジュール製造工程で、最終製品に対応したカメラ調整データ及びモジュール制御用プログラムを、フラッシュメモリ１５へ格納済みにして出荷する。これにより、カメラモジュール１０のユーザーである最終製品メーカー側の最終製品の製造工程で、フラッシュメモリ１５にカメラ調整データやモジュール制御用プログラム等を入力する工程を必要としない。また、カメラモジュール１０の設計やモジュール制御用プログラムに不具合等が存在した場合、その対処をカメラモジュール１０単体で行えばよく、最終製品を変更する必要がなくなる。従って、最終製品の製造工程が簡略化され、最終製品メーカー側の負担が軽減される。
【００３９】
なお、上述した実施形態では、カメラモジュール１０のメモリをフラッシュメモリ１５としたが、これには限定されず、その他の揮発性又は不揮発性メモリであってもよい。
【００４０】
また、上述した実施形態では、カメラ調整データは、例えばＣＣＤ１１のホワイトバランス特性、メカシャッターのバラツキ補正データ等であるとしたが、これには限定されず、その他のカメラ調整データ、もしくはモジュール制御用のデータが含まれてもよい。
【図面の簡単な説明】
【００４１】
【図１】本発明を実施するための最良の形態に係るカメラモジュールの構成を示すブロック図である。
【図２】本発明を実施するための最良の形態に係るカメラモジュールが最終製品に組み込まれるまでの工程フローの例を示した図である。
【図３】従来例に係るカメラモジュールの構成を示すブロック図である。
【図４】従来例に係るカメラモジュールが最終製品に組み込まれるまでの工程フローの例を示した図である
【符号の説明】
【００４２】
１０，２０  カメラモジュール
１１，２１  ＣＣＤ
１２，２２  Ａ／Ｄ変換器
１３，２３  ＤＳＰ
１４，２４  マザー基板側ＣＰＵ
１５  フラッシュメモリ
２５  マザー基板側フラッシュメモリ
【図１】
2005033691.tif 000003
【図２】
2005033691.tif 000004
【図３】
2005033691.tif 000005
【図４】
2005033691.tif 000006